(57)【要約】【課題】機動力により内臓機能の劣化、老化を回復、予防する為の足関節の屈曲運動を反復して行う内臓機能活性化運動機を車椅子に取り付け、身体障害等により自力行動の不自由な車椅子生活者が自力で内臓機能活性化運動が出来るようにする。【解決手段】背もたれ部１と下腿台Ａを概ね水平状にできるリクライニング構造の車椅子の下腿台Ａの上端部の基底枠フレーム５にピストンシャフト７を有するクランク機構Ｂを取り付けたギアモートル６を、また、下端部に傾斜、復元可能に運動し、且つ、基部中央に軸受具９を有する足置台３を設けると共に、ピストンシャフト７の先端を軸受具９に固着し、ギアモートル６は、座台２に設けたスイッチ１０により運転操作出来るようにする。【選択図】　　図２
0003096838.tif 000002
【実用新案登録請求の範囲】
【請求項１】
背もたれ部（１）を概ね水平状に、また、下腿台（Ａ）を概ね水平状に設定できるリクライニング構造の車椅子の下腿台（Ａ）の基底枠フレーム（５）にピストンシャフト（７）を有するクランク機構（Ｂ）を回転軸（８）に取り付けたギアモートル（６）と、下腿台（Ａ）の下端部に傾斜、復元可能に運動する足置台（３）とを設けるとともに、ピストンシャフト（７）の先端を足置台（３）の基部中央に設けた軸受具（９）に固着して、ギアモートル（６）の稼動に連動するクランク運動によって起動するピストンシャフト（７）のピストン運動により、足置台（３）が傾斜、復元運動を反復して行う内臓機能活性化運動機を設けることを特徴とするリクライニング車椅子。
【考案の詳細な説明】
【０００１】
【考案の属する技術分野】
本考案は、自力での移動、運動が容易でない為、運動不足による健康上の諸障害の発生が危惧される車椅子生活者の運動不足により惹起される内臓諸器官の劣化、老化、疾病その他の諸症状の発生の予防、回復の為の内臓機能活性化に係わるものであり、前記諸症状の発生の原因となる内臓運動の不足、欠落を改善する為、骨格系、筋肉系の組成構造上、内臓機能の活動に密接に連携する足に対し一定のリズムで反復して傾斜、復元による押圧、解圧の操作を行って、足関節の屈曲運動を一定時間継続的に行うことにより、内臓諸器官に適度の刺激とショックを与える効果を持つ、車椅子生活者の内臓諸器官の機能の活性化を図る為の機器を取り付けた車椅子に関するものである。
【０００２】
【従来の技術】
中高年令者等運動不足に陥り勝ちな者の保健、体力維持を図る手段として一般にジョギングやウォーキング等足を動かす運動が医師等により推奨されているが、これは足の運動が単に足の筋肉や機能を強化するだけでなく、人体の各臓器、各器官にも適度の運動と刺激を与え、臓器、器官の劣化、老化を防いで、体全体の自然治癒能力を高める効果があることが立証されている為である。
この足を動かす運動の最も主体的な活動をなすものは足関節の動きであり、足関節の動きが構造的にこれに繋がる脚部、腰部、腹部、胸部等の骨格系、筋肉系の動きとなって、これが、これらに内蔵される各臓器、各器官に運動と刺激とを与える効果をもたらすものであるから、自力でジョギングやウォーキングなどの運動ができなくなった者や、寝たきりの病弱者等体力的に運動の不足又は不能な者に対しても同様の効果を生む手段を講ずることは、体力的弱者の保健上極めて望まれるところである。
それに応える方法として、これらの者を仰臥させて上向する足を他力によって押圧、解圧し足関節の屈曲運動を反復して行う施術が医師等の人力によって行われてきたが、これを機器により実施することが考案され、平成１３年８月２８日実用新案登録願第２００１−００６４１７を以て出願され、平成１４年３月６日登録第３０８６００８号を以て内臓機能活性化運動機として登録されたところである。
しかし乍ら、この内臓機能活性化運動機は床上に置くマット又はベットの架台上に設置されるように設計されているので、利用者はその設置場所まで体を運ばなければならず、車椅子生活者の場合は自力歩行が困難な場合が多く、他力の介助が得られる場合の他、自力だけでは十分これを利用することが出来ないという問題点があった。
【０００３】
【考案が解決しようとする課題】
本校案が解決しようとする課題は、車椅子生活者が他力の介助を受けず、車椅子に座乗した状態のままで内臓諸臓器、諸器官の働きを活性化させることに効果のある内臓機能活性化運動を独力、自力で行うことができる内臓機能活性化運動機付き車椅子を提供することにある。
【０００４】
【課題を解決するための手段】
上記の目的を達成する為に、本考案における内臓機能活性化運動機付き車椅子は、背もたれ部１を概ね水平状に倒し、且つ、下腿台Ａを概ね水平状に設定して座乗者を仰臥状態にすることができるリクライニング構造の車椅子の下腿台Ａの基底枠フレーム５の上端部に、ピストンシャフト７を有するクランク機構Ｂを回転軸１８に取り付けたギアモートル６を、また、下端部に傾斜、復元可能に運動する足置台３を設置し、ピストンシャフト７の先端を足置台３の基部中央に設けた軸受具９に固着して、ギアモートル６の稼動によって起きるクランク運動に連動するピストンシャフト６のピストン運動により、足置台３が傾斜、復元運動を反復して行い、仰臥した車椅子座乗者の上向する足への押圧、解圧を繰り返して足関節の屈曲運動を一定時間継続的に行うことが出来るようにしたものである。
【０００５】
座台２に対する設定角度を概ね水平状を限度に自在に調整できる下腿台Ａの骨組みを構成する基底枠フレーム５の上部横フレームに保持具１５を固着し、これにクランク機構Ｂを回転軸１８に取り付けた小型のギアモートル６が回転軸１８を横向きにして取り付けられている。ギアモートル６は、座台に設けられたスイッチ１０の操作により起動、停止を行うようになっているが、これには自動スイッチ付きタイマーが取り付けられ、利用者の身体的状況に応じて運転時間を調整出来るようになっている。また、クランク運動に連動するピストンシャフト７のピストン運動の速度についても、これをコントロールするインバーターを取り付けることにより調整することが出来る。
【０００６】
クランク機構Ｂは、ギアモートル６の回転軸１８に取り付けられた図示されない複数の螺子孔を設けたクランク盤１６と、この螺子孔に螺着してクランク盤に結合される螺子桿１９に滑動自在に嵌合されたクランク棒１７とからなり、クランク棒１７の先端はピストンシャフト７に固着されている。
【０００７】
クランク盤１６に複数の螺子孔を設けることにより、クランク棒１７を螺子桿１９により螺着してクランク盤１６に取り付けるに当たり、クランク盤の中心より遠近自在の位置に取り付けることが出来る。則ち、クランク盤の中心より遠い位置に取り付ける程クランク棒の回転巾が大きくなるので、ピストンシャフトの運動に連動する軸受具９の運動によって生じる足置台３の運動巾が大きくなり、中心に近い程その運動が小さくなるので、これにより利用者の身体的状況に応じ足置台３の傾斜、復元による足への押圧力の強弱を調整することができる。
【０００８】
【考案の実施の形態】
考案の実施の形態について図面を参照して説明する。
図１，図２において、車椅子は、背もたれ部１及び下腿台Ａが概ね水平を限度として任意の角度に設定できるリクライニング構造であり、座台巾５０センチメートル前後、前座高５０〜６０センチメートル程のものであって、後輪に附属されるブレーキによって不動に静止することが出来る。座乗者は背もたれ部１及び下腿台Ａを概ね水平状に設定して仰臥状になり上向する足を足置台に密着させ、自動スイッチ付きタイマーによって稼働時間をセットした後スイッチにより入力してギアモートル６を稼動すれば、これに連結されたクランク機構Ｂ、ピストンシャフト７，足置台３の軸受具９が連動し、足置台３の前傾、復元による足への押圧、解圧運動となって、足関節の屈曲運動が行われ内臓機能を活性化する運動を反復して自動スイッチタイマーによりセットされた時間、継続的に行うことができる。
【０００９】
図３，図４は、下腿台Ａの床面をはずし足置台３を傾斜、復元運動させる機能の構造を示す構成図であり、図３は斜視図、図４は平面図である。
下腿台Ａの骨組みを構成する基底枠フレーム５の上部横フレームに保持具１５を固着し、これに小型のギアモートル６を回転軸１８を横向きにして取り付け、保持具１５の軸穴から突出する回転軸１８にクランク機構Ｂが取り付けられている。
【００１０】
クランク機構Ｂは、図示されない複数の螺子孔を有するクランク盤１６と、螺子桿によりこれに螺着されるクランク棒１７とからなり、クランク棒１７はピストンシャフト７に連結され、ピストンシャフト７はその運動の安定を保持する為に設けられた軸受８を介して足置台３の軸受具９に固着されている。
【００１１】
ギアモートル６は、図示されないコードにより自動スイッチ付きタイマーに結続され、座台２に設けられたスイッチ１０への座乗者の入力により稼動するようになっている。
【００１２】
下腿台Ａは、横幅が座台と同様で５０センチメートル程であり小型のギアモートルにクランク機構を取り付けた場合、その全長は概ね２０〜３０センチメートルとなるので、クランク棒を下腿台基底枠フレーム５の中心位置に設定することが可能であるから、ピストンシャフト７は足置台の軸受具９に垂直に固着することが出来る。また、下腿台Ａの縦巾は、概ね５０〜６０センチメートルであるからピストンシャフト７が足置台の軸受具９との間においてピストン運動を行うに十分な距離を保って設定することが出来る。
【００１３】
足置台３は、台の基部を屈折可能にし、必要に応じてこれを上へはね上げて座乗に際しこれが妨げにならないように設定することが出来る。
【００１４】
【考案の効果】
本校案は、上述のとおり構成されているので、次に記載する効果を奏する。
【００１５】
運動の不足、不能は単に運動機能の低下や筋肉の劣化に留まらず、内臓機能の劣化、老化をきたし、健康の悪化に繋がることは明白であり、これを改善する手段として高年齢者や体力的弱者についても人力又は機械力の助力によって適度の運動ができる方途が考えられてきているが、自力で移動したり、思うままに運動を実践できない車椅子生活者には有効な手段が講ぜられていない。
【００１６】
本校案によれば、車椅子生活者が車椅子の背もたれ部と下腿台とを水平状態に設定し、仰臥したまま健康の維持、回復に繋がる内臓機能の活性化に効果のある足関節の屈曲運動を、継続時間、運動の強弱を調整できる機能を持つ機器をもって自力で起動操作して行うことができるので、身体不自由な車椅子生活者が他力の介助を待たず任意に内臓機能を活性化し、その劣化、老化等の回復、予防に効果のある足関節屈曲運動を反復、継続して行うことが出来るようになる。
【図面の簡単な説明】
【図１】内臓機能活性化運動機の一部切裁斜視図である。
【図２】座乗者に適用した状態の実施例を示す側面図である。
【図３】下腿台の床面をはずし、足置台を傾斜、復元運動させる機能の構造を示す斜視図である。
【図４】下腿台の床面をはずし、足置台を傾斜、復元運動させる機能の構造を示す平面図である。
【符号の説明】
Ａ　下腿台
Ｂ　クランク機構
１　背もたれ部
２　座台
３　足置台
４　肘かけ
５　基底枠フレーム
６　ギアモートル
７　ピストンシャフト
８　軸受け
９　軸受具
１０　スイッチ
１１　介護用ハンドル
１２　ブレーキバー
１３　前輪
１４　後輪
１５　保持具
１６　クランク盤
１７　クランク棒
１８　回転軸
１９　螺子桿
【図１】
0003096838.tif 000003
【図２】
0003096838.tif 000004
【図３】
0003096838.tif 000005
【図４】
0003096838.tif 000006